(57)【要約】【課題】  安定支持の効果があり、高さを迅速に調整できる足パッドを提供する。【解決手段】  足１は、シャシー１２上にねじ棒１１が設けられている。シート２は、内面にねじ山があり、上部端面に傾斜面２４が設けられ、下部の端面に傾斜面２４を持つ突出し状リング２５が設けられている。制御装置は、位置制限円筒、制御リング、圧縮スプリング、軸方向牽引器及び円周方向牽引器３５より構成されている。ケース４は、上下端にそれぞれ軸孔４２２が設けられ、下方の軸孔箇所内壁にテーパー状孔が設けられている。シート２がねじ棒１１に挟み込まれ、位置制限円筒上の収納孔がシート２外周に嵌め込まれ、ケース４が制御装置に被せられ、傾斜面２４はケース４のテーパー状孔内に嵌め込まれ、制御装置の軸方向牽引器及び円周方向牽引器３５はケースの外部に延伸している。【選択図】    図１
0003106733.tif 000002
【実用新案登録請求の範囲】
【請求項１】
迅速に調整可能な足パッドであって、足、シート、制御装置及びケースを含み、
足は、一つのシャシー上に一つのねじ棒が設けられている支持柱であり、
シートは、内面にねじ山が設けられているシートであって、シートの上部端面には傾斜面が設けられ、かつ下部の端面に傾斜面を持つ突出し状リングが設けられ、
制御装置は、位置制限円筒、制御リング、圧縮スプリング、軸方向牽引器及び円周方向牽引器より構成され、前記位置制限円筒は底部に収納孔が設けられている中空円筒であり、収納孔の天端は一つの軸孔によって貫通され、収納孔と軸孔との接続箇所に一つのテーパー区間が設けられ、かつ、収納孔の周りの円筒壁にテーパー状孔が設けられ、各テーパー状孔に鋼球が埋め込まれ、前記制御リングはリング状であって、リング内壁に数個の凹み溝が設けられ、制御リングは位置制限円筒の外部に装設され、前記圧縮スプリングは位置制限円筒の上部に設けられ、制御リングを圧迫して沈下させ、前記軸方向牽引器と制御リングと接続して、リングの昇降を調節制御し、前記円周方向牽引器とシートは接続されていて、弾力を用いて常時シートを牽引して拡張させ、
ケースは、制御装置に被せる中空ケースであり、上下端にそれぞれ一つの貫通した軸孔が設けられ、さらに下方の軸孔箇所内壁に次第に縮小する区間を持つテーパー状孔が設けられ、
少なくとも二つのシートが脚部のねじ棒本体に挟み込まれ、制御装置の位置制限円筒上の収納孔がシート外周に嵌め込まれ、ケースが制御装置に被せられ、シートの上部端面の傾斜面が位置制限円筒のテーパー区間に対応して設けられ、下端の突出し状リングの傾斜面はケースのテーパー状孔内に嵌め込まれ、制御装置の軸方向牽引器及び円周方向牽引器はケースの外部に延長されていることを特徴とする足パッド。
【請求項２】
前記シャシーは、固定式またはユニバーサル活動式の構造より構成されることを特徴とする請求項１記載の足パッド。
【請求項３】
前記シートは、円弧状シートからなり、さらに外壁に円周方向牽引器と接続するためのねじ孔が設けられていることを特徴とする請求項１記載の足パッド。
【請求項４】
前記シートは、ねじ棒の直径の大きさに従って適切なシートの数量を選択してねじ棒の本体に挟むことが可能であることを特徴とする請求項１記載の足パッド。
【請求項５】
前記制御装置の位置制限円筒は、Ｔ形円筒状であって、上部の外周に一つのフランジが形成されていることを特徴とする請求項１記載の足パッド。
【請求項６】
前記制御装置の制御リングは、円周方向牽引器を貫通させるため、リングの壁面に数個の長溝孔が設けられていることを特徴とする請求項１記載の足パッド。
【請求項７】
前記制御装置の軸方向牽引器は、制御リングの壁面にねじで締め付けられ、ワイヤ線をねじに固定する構成であり、前記ワイヤ線をケースの外側に延長して牽引作動させることを特徴とする請求項１記載の足パッド。
【請求項８】
前記制御装置の軸方向牽引器は、制御リングの外側に一つの引き棒がねじで固定され、引き棒はケースの外側に伸長していることを特徴とする請求項１記載の足パッド。
【請求項９】
前記円周方向牽引器は、一つのねじに一つの弾性部品及び一つの自由ワッシャーが順番に装入されて構成され、ケース、制御リング及び位置制限円筒を貫通して、シートの側面にねじ固定され、弾力を利用して常時シートを牽引して拡張させることを特徴とする請求項１記載の足パッド。
【請求項１０】
前記ケースは、一つのケースリング、上蓋及び下蓋より構成され、前記ケースリングの上下端面には外ねじ山が設けられ、上蓋及び下蓋を締め付けて、円周方向牽引器に通すために、ケースリングの周りの選択された場所に複数個の軸孔が設けられ、前記上蓋は内部リングの表面に内ねじ山を有する略Ｕ字型蓋が設けられ、その中央部に軸孔を設けることが可能であり、蓋表面にワイヤ線の軸方向牽引器に合わせるため、穿孔が置かれ、前記下蓋は内部リングの表面に内ねじ山の略Ｕ字型蓋が設けられ、その中央部に軸孔及びテーパー状孔が設けられていることを特徴とする請求項１記載の足パッド。
【考案の詳細な説明】
【技術分野】
【０００１】
本考案は、迅速に調整可能な足パッドの構造設計に関わるものであって、特に、梯子、架台、棚、家具または機械底部に取り付けて、その高さを迅速に調整して、安定支持の効果が得られるものを指す。
【背景技術】
【０００２】
従来式の足パッド技術または知識は、おもに梯子、架台、棚、家具または機械などの物品の底部に使用され、当該物品の平衡及び安定支持目的を果たすものである、しかしながら、従来式の足パッド構造は、通常、当て物及び当て物の上部端面に一つのボルトを設けたごく単純な構造でもって、梯子、架台、棚、家具または機械等の物品の底部に複数個ねじ孔を設けて、数本の足パッドを用いてそのボルトをねじ孔に締め付けるため、各足パッドの高さを調整するときに、常にたくさんの時間を費やして、当て物を回転させながら、ゆっくり調整しなければならない。そのようなことは、利用者に不便をもたらすほか、常に移動を必要とする梯子、架台または棚に取り付けるとき、利用者に作業を困惑させる。特に、床の段差が大きいとき、梯子、架台または棚の設置場所の床の環境が悪いときなどに、従来式の一つの当て物及び一つのボルトより構成される簡易な調整装置を使用することは、作業員に要求される効率を満たさないばかりでなく、作業員に不要な面倒を引き起こす。
【考案の開示】
【考案が解決しようとする課題】
【０００３】
本考案の主要目的は、迅速に調整可能な足パッドの構造設計を提供することであり、一つの足、複数枚のシート、一つの制御装置及び一つのケースより構成される。当該足は上部にねじ棒を有し、下部にシャシーの棒が設けられている。ねじ棒の特定場所に複数個の内面にねじ山を持つシートが被せられ、シート外周に一つの位置制限円筒及び一つの制御リングより構成される制御装置を含む。制御シートは、内面のねじ山をねじ棒に噛み合わせるかまたは離脱状態を選択できる。さらに、制御装置の外側に一つのケースが設けられて、これが被せられる。これらにより、一種の利用可能な制御装置を構成し、シートをねじ棒に噛み合わせるかまたは離脱して、足パッドの足伸縮の迅速または精密な調整を可能とする。
本考案のもう一つの目的は、迅速に調整可能な足パッドの構造設計を提供し、そのうちの当該シートは二片または二片以上が足のねじ棒上に挟んで設けられている。
【課題を解決するための手段】
【０００４】
迅速に調整可能な足パッドの構造設計であって、一つの足、複数のシート、一つの制御装置及び一つのケースより構成される。当該足の上部にねじ棒を有して下部に棒を有するシャシーを設け、ねじ棒の特定場所に内面にねじ山を有するシートを複数片で被せており、シートの外周に一つの位置制限円筒及び一つの制御リングより構成される制御装置を装設し、シートを制御して内面のねじ山でもってねじ棒を噛み合わせるまたは離脱状態を選択できるほか、制御装置の外部に一つのケースを設けて被せて置き、これらにより、一種の制御装置を利用して、シートをねじ棒に噛み合わせるまたは離脱させ、足伸縮型の足パッドの迅速または精密な調整を可能にする。
【考案を実施するための最良の形態】
【０００５】
図１及び図２に示す通り、本考案の一実施例による足パッドの構造設計は、一つの足１、複数枚のシート２、一つの制御装置３及び一つのケース４より構成される。
足１（図１に示す通り）は、上部に一つのねじ棒１１が設けられ、ねじ棒１１の下部に一つのシャシー１２の支持柱が設けられ、かつ、当該シャシー１２は固定式構造またはユニバーサル活動式構造である。
【０００６】
シート２（図２に示す通り）は、円弧状で形成されるシートであって、シート内面に対称し、ねじ棒１１上にねじ山２１が設けられ、シートの側面は少なくとも一つのねじ孔２２が設けられているほか、シート上部端面の外周に一つの傾斜面２３が設けられ、かつ、下端の外周に一つの傾斜面２４を持つ突出し状リング２５が設けられている。これにより、ねじ山２１とねじ棒１１を挟んで噛み合わせるかまたは解放させる。
【０００７】
制御装置３（図２及び図３に示す通り）は、一つの位置制限円筒３１、一つの制御リング３２、一つの圧縮スプリング３３、一つの軸方向牽引器３４及び一つの円周方向牽引器３５の組み合わせにより構成される。当該位置制限円筒３１はＴ形中空円筒体であり、底部に一つの収納孔３１１が設けられ、収納孔３１１内面の天端に一つの軸孔３１２が設けられて軸方向で貫通される。収納孔３１１と軸孔３１２との接続箇所に一つ上部へ次第に縮小するテーパー区間３１３が設けられている。一方、当該収納孔３１１周りの円筒の壁付近に少なくとも二つの内側へ次第に縮小するテーパー状孔３１４が設けられ、さらに各テーパー状孔３１４に鋼球３１５が埋め込まれ、鋼球３１５は収納孔３１１内側に露出される。当該制御リング３２は、一つのリング状のものであり、リングの内壁周りに複数個のテーパー状孔３１４に対称した凹み溝３２１が設けられ、さらにリングの壁面に複数個の軸方向長溝孔３２２が設けられている。これにより、制御リング３２を当該位置制限円筒３１外部に被せて、鋼球３１５を制限して脱落を防止する。当該圧縮スプリング３３は、位置制限円筒３１上部の円筒本体上に設けられ、下部は引き続きに制御リング３２に当られて部品を常時沈下させ、その上部端面は選択的に位置制限円筒３１上部フランジに当てられる。当該軸方向牽引器３４は、制御リング３２のリング壁面に一つのねじ３４１で締め付けられ、さらに１本のワイヤ線３４２の固定ねじ３４１より構成（図３に示す通り）されて、制御リング３２を牽引して上昇させ、鋼球３１５がリング内壁の凹み溝３２１の部品に落ち込む。当該円周方向牽引器３５は、一つのねじ３５１を頭部より順番に一つの弾性部品３５２（例えば、圧縮スプリング）及び一つの自由ワッシャー３５３に装入して、これにより、制御リング３２の長い溝孔３２２内部及びケース４を貫通する。      
【０００８】
ケース４（図２に示す通り）は、制御装置３の中空ケースに被せられて、一つのケースリング４１、上蓋４２及び下蓋４３より構成される。当該ケースリング４１の上下端に外ねじ山４１１が設けられ、上蓋４２及び下蓋４３を締め付ける。ケースリング４１の周りの選定した場所に制御リング３２に対応した長溝孔３２２の複数個の通し孔４１２が設けられ、当該通し孔４１２に円周方向牽引器３５が設けられている。当該上蓋４２は、内部リングの表面に内ねじ山４２１を設けた略Ｕ字型蓋であって、中央部に一つの軸孔４２２が設けられている。更に、蓋の表面は、ワイヤ線３４２の軸方向牽引器３４に合わせて二つの穿孔４２３が設けられている。当該下蓋４３は、内部リングの表面に内ねじ山４３１が設けられている略Ｕ字型蓋であって、その中央部に一つの軸孔４３２が設けられ、軸孔４３２上部に一つの内壁が上方向へ円錐状に縮小する形のテーパー状孔４３３が設けられている。
【０００９】
これにより、（図１及び図３に示す通り）少なくとも二枚シート２（図示は三枚シート２）を足１のねじ棒１１の本体に挟んで置き、制御装置３の位置制限円筒３１の収納孔３１１をシート２外周に嵌め込み、ケース４を制御装置３に被せて、ねじ棒を軸孔３１２、軸孔４２２及び軸孔４３２に挿入して、複数枚のシート２の上部端面の傾斜面２３をテーパー区間３１３に対応して、かつ、下端の突出し状リング２５を下蓋４３のテーパー状孔４３３に挿入する。更に、制御装置３の円周方向牽引器３５をケースリング４１の通し孔４１２、制御リング３２の長溝孔３２２及び位置制限円筒３１に通してシート２のねじ孔２２にねじ込んで、弾性部品３５２及びワッシャー３５３によりシート２を引っ張って外側へ拡張させる機能を働かせ、前述の軸方向牽引器３４のワイヤ線３４２を上蓋４２の穿孔４２３に通して、外部より制御リング３２を引っ張って上昇させる。これにより、本実施例の迅速に調整可能な足パッドが形成される。
【００１０】
本実施例の構造設計を運用することにより、（図３に示す通り）制御リング３２は圧縮スプリング３３の圧下により、鋼球３１５が内側に引き込まれてシート２の外側に当てられ、各シート２は收縮して、内面ねじ山２１とねじ棒１１と咬合に近い状態となる。このとき、物品の自重により、当該ケース４及び制御装置３の位置制限円筒３１を下方向へ圧下することができる。逆の場合は、複数枚のシート２を上昇させ、上部端面傾斜面２３及び下端傾斜面２４を位置制限円筒３１のテーパー区間３１３及びケース４のテーパー状孔４３３に挿入することにより、複数枚のシート２を再び収縮させて、均一にねじ棒１１に噛み合わせて保持することにより、当該足１の高さを固定し、足１を微調整して小範囲の昇降の操作ができる。ただし、利用者は、当該足１の昇降を迅速に調整したい場合は、（図４に示す通り）ワイヤ線３４２を引っ張って制御リング３２を上昇させる。リング内壁の凹み溝３２１を鋼球３１５位置と一致させるとき、鋼球３１５はシート２を離脱して、制御リング３２の凹み溝３２１に落ち込む。このとき、円周方向牽引器３５の弾力を利用して、各シート２を離脱させ、当該足１は自由に迅速に昇降動作し、高さを調整して、その上に置かれた物品の安定性を維持するほか、調整後には前述の方式で固定及び微調整可能状態に戻すことができる。
【００１１】
以上の説明より、本実施例の迅速に調整可能な足パッドは、梯子、架台、棚、台車、家具または機械等の物品の底部に広く応用でき、当該物品を安定に放置する効果を有し、特に、常に移動かつ安定性が必要な物品を置くことができる（図５に示す通り）。もし、本実施例を梯子または架台１０の底部に取り付けて、当該ワイヤ線３４２を梯子または架台１０上部端面の適切な場所に引き込むとき、常に梯子または架台１０上でその位置を移動する作業者が床の凸凹に気づいた場合、梯子または架台１０より簡単にワイヤ線３４２を引っ張って、足１の迅速な昇降を制御して、当該梯子または架台１０の安定性を維持できる。
【００１２】
ただし、本実施例における当該軸方向牽引器３４は、一つのねじ３４１にワイヤ線３４２を組み合わせた実施例に限ることなく、制御リング３２外側に一つの引き棒（図示していない）をねじ込み、当該引き棒をケース４の外側に突き出して、引き棒を引っ張ることにより、当該制御リング３２の昇降を調整できる。かつ、当該円周方向牽引器３５の主な働きは、シート２をねじ棒１１より離脱させるものであり、よって、ねじ棒を離脱させる構造形態、例えば、伸縮スプリングなどを使用するなどは、本考案で実施応用可能であり、前述のねじ３５１、弾性部品３５２及び自由ワッシャー３５３の組み合わせによる実施に拘ることはできない。また、図示されたケース４は、実務の必要に応じて実施状態を変更できる。例えば、当該ケース４は一つの略Ｕ字型ケースリング及び一つの蓋本体で構成されるか、または、ケース４に掲げる構造特徴を梯子、架台、棚、台車、家具または機械などに変えて実施できる。例えば、当該梯子または架台１０の縦棒１０１をケースに作り上げるなどである。よって、前掲の技術手段によりなされる簡単な変更及び置き換えは、すべて本考案の考案精神及び実用新案範疇に含まれることが妥当であることをここに併せて説明する。
【００１３】
以上に申し上げた通り、本考案の迅速に調整可能な足パッドの設計は、実用性と創作性を有し、その手段の運用も新型に間違いない。かつ、機能と設計目的もすべて満たされ、合理性と進歩性があることはきわめて明確である。
【図面の簡単な説明】
【００１４】
【図１】本考案の一実施例による足パッドを示す模式図である。
【図２】本考案の一実施例による足パッドを示す分解斜視図である。
【図３】本考案の一実施例による足パッドを示す断面図である。
【図４】本考案の一実施例による足パッドの動作を示す概略図である。
【図５】本考案の一実施例による足パッドの実施状態を示す斜視図である。
【符号の説明】
【００１５】
１  足、２  シート、３  制御装置、４  ケース、１１  ねじ棒、１２  シャシー、２１  ねじ山、２２  ねじ孔、２３  傾斜面、２４  傾斜面、２５  突出し状リング、３１  位置制限円筒、３２  制御リング、３３  圧縮スプリング、３４  軸方向牽引器、３５  円周方向牽引器、４１  ケースリング、４２  上蓋、４３  下蓋、３１１  収納孔、３１２  軸孔、３１３  テーパー区間、３１４  テーパー状孔、３１５  鋼球、３２１  凹み溝、３２２  長溝孔、３４１  ねじ、３４２  ワイヤ線、３５１  ねじ、３５２  弾性部品、３５３  ワッシャー、４１１  外ねじ山、４１２  通し孔、４２１  内ねじ山、４２２  軸孔、４２３  穿孔、４３１  内ねじ山、４３２  軸孔、４３３  テーパー状孔
【図１】
0003106733.tif 000003
【図２】
0003106733.tif 000004
【図３】
0003106733.tif 000005
【図４】
0003106733.tif 000006
【図５】
0003106733.tif 000007